(57)【要約】      （修正有）【課題】操作上の利便性を向上できるポータブルストレージデバイスを提供する。【解決手段】収容空間１０８を有し、上面に貫通孔１１０を備えている外ケース１０２と、外ケース１０２の収容空間１０８中に位置し、一方向に沿って摺動する本体１１４と、外ケース１０２と本体１１４とに当接する第一弾性素子１２２と、本体１１４の摺動方向と直交し、貫通孔１１０に位置決めされる位置決め部材１３６と、を含む。【選択図】図１
0003197802.tif 000002
【実用新案登録請求の範囲】
【請求項１】
収容空間を有し、上面に貫通孔を備えている外ケースと、
前記外ケースの収容空間内に位置し、一方向に沿って摺動する本体と、
前記外ケースと前記本体とに当接する第一弾性素子と、
前記本体の摺動方向と直交し、前記貫通孔に位置決めされる位置決め部材と、
を含むことを特徴とするポータブルストレージデバイス。
【請求項２】
前記外ケースと前記本体の間に設置された内ケースをさらに含むことを特徴とする請求項１記載のポータブルストレージデバイス。
【請求項３】
前記位置決め部材は、さらにボタンと第二弾性素子を含むことを特徴とする請求項２記載のポータブルストレージデバイス。
【請求項４】
前記第二弾性素子は、前記ボタンと前記内ケース内の位置決め部に当接していることを特徴とする請求項３記載のポータブルストレージデバイス。
【請求項５】
前記本体は、さらにＵＳＢコネクタとメモリ素子を含むことを特徴とする請求項１記載のポータブルストレージデバイス。
【請求項６】
前記外ケースの一端は前端開口を含み、前記ＵＳＢコネクタが前記前端開口から突出すると、前記位置決め部材は前記貫通孔から突出することを特徴とする請求項５記載のポータブルストレージデバイス。
【請求項７】
前記位置決め部材が前記貫通孔内に戻ると、前記本体は前記第一弾性素子によって加えられた力によって、前記本体の前記ＵＳＢコネクタが前記外ケースの前記収容空間内に後退することを特徴とする請求項６記載のポータブルストレージデバイス。
【請求項８】
前記内ケースの一端に嵌合されているカバーをさらに含むことを特徴とする請求項２記載のポータブルストレージデバイス。
【請求項９】
前記第一弾性素子は、前記本体と前記内ケースとの間に設置されたスプリングであることを特徴とする請求項２記載のポータブルストレージデバイス。
【請求項１０】
前記外ケースの一端は、前記第一弾性素子の一端が当接する当接部を含むことを特徴とする請求項１記載のポータブルストレージデバイス。
【考案の詳細な説明】
【技術分野】
【０００１】
本考案は、記憶装置に関し、特にポータブルストレージデバイスに関する。
【背景技術】
【０００２】
近年、コンピュータ、通信機器、家庭用電化製品といった電子製品の成長が早いため、記憶メディアに対する消費者の需要も急速に増加し、さらに、情報技術の進歩に伴い、従来、電子データを記憶するために用いられたフロッピーディスク（ｆｌｏｐｐｙ  ｄｉｓｋ）（登録商標）は、体積が小さく且つ記憶容量が大きいポータブルストレージデバイスに取って代わられた。
【０００３】
従来のポータブルストレージデバイスでは、ＵＳＢコネクタの汚染や破損を防止するために、ポータブルストレージデバイスのＵＳＢコネクタにカバーキャップが被せられ、使用時にはポータブルストレージデバイスからカバーキャップを外し、普段使用しない場合は、ＵＳＢコネクタを遮蔽する。
【考案の概要】
【考案が解決しようとする課題】
【０００４】
しかしながら、従来のポータブルストレージデバイスのカバーキャップは紛失しやすく、カバーキャップをポータブルストレージデバイスのＵＳＢコネクタに被せる方法は、使用上極めて不便である。また、業界では、ＵＳＢコネクタが伸縮自在のポータブルストレージデバイスが既に開発されているが、依然として、使用上の利便性及び直感性に欠けるという欠点があった。
【０００５】
従って、本考案の考案者は、上記欠点が改善可能であることに鑑み、鋭意研究を行った結果、構成が合理的でありかつ上記欠点を改善できる本考案を見出した。
【課題を解決するための手段】
【０００６】
上述した技術課題を解決するために、本考案によって提供されるポータブルストレージデバイスは、収容空間を有し、上面に貫通孔を備えている外ケースと、外ケースの収容空間内に位置し、一方向に沿って摺動する本体と、外ケースと本体とに当接する第一弾性素子と、本体の摺動方向と直交し、貫通孔に位置決めされる位置決め部材と、を含む。
【考案の効果】
【０００７】
本考案の効果は、ユーザがカバーを押すことによってＵＳＢコネクタを押し出してデータの転送を可能にしていることと、使用後は、ボタンを押すことによって、ＵＳＢコネクタを第一弾性素子によって生じた付勢力によって自動的に外ケース内に戻すことができることであり、操作上の利便性を向上できる。
【図面の簡単な説明】
【０００８】
【図１】本考案の実施例に係るポータブルストレージデバイスの分解図である。
【図２Ａ】本考案の実施例に係るポータブルストレージデバイスの斜視図である。
【図２Ｂ】本考案の実施例に係るポータブルストレージデバイスの斜視図である。
【図２Ｃ】図２Ａにおける外ケースを分解した後の斜視図である。
【図３】本考案の実施例に係るポータブルストレージデバイスを他の視点から見た分解図である。
【図４】本考案の実施例に係るポータブルストレージデバイスの断面図である。
【図５Ａ】本考案の実施例に係るポータブルストレージデバイスの動作を示す図である。
【図５Ｂ】本考案の実施例に係るポータブルストレージデバイスの動作を示す図である。
【図５Ｃ】本考案の実施例に係るポータブルストレージデバイスの動作を示す図である。
【図５Ｄ】本考案の実施例に係るポータブルストレージデバイスの動作を示す図である。
【図５Ｅ】本考案の実施例に係るポータブルストレージデバイスの動作を示す図である。
【考案を実施するための形態】
【０００９】
以下、特定の実施例によって本考案に係るポータブルストレージデバイスの実施形態を説明する。以下の実施形態は本願に係る技術内容を更に詳しく説明するものであるが、本考案の実施の範囲はこれによって限定されない。
【００１０】
＜実施例＞
図１、図２Ａ〜図２Ｃ、図３及び図４を用いて説明する。図１は本考案の実施例に係るポータブルストレージデバイスの分解図であり、図２Ａ及び図２Ｂは本考案の実施例に係るポータブルストレージデバイスの斜視図であり（図２ＡはＵＳＢコネクタが外ケースの外に突出した状態を示す図であり、図２ＢはＵＳＢコネクタが外ケースの中に収容された状態を示す図である）、図２Ｃは図２Ａにおける外ケースを分解した後の斜視図であり、図３は本考案の実施例に係るポータブルストレージデバイスを他の視点から見た分解図であり、図４は本考案の実施例に係るポータブルストレージデバイスの断面図である。本実施例に係るポータブルストレージデバイスは外ケース１０２を含み、外ケース１０２の第一端部は当接部１０４を含み、当接部１０４は前端開口１０６を囲い、外ケース１０２の上面は貫通孔１１０を含み、且つ図１に示すように、上面は貫通孔１１０のみを含む。外ケース１０２の第二端部は後端開口１１２を含み、第一端部に当接部１０４が形成されているため、前端開口１０６の面積は後端開口１１２の面積よりも小さい。本実施例において、当接部１０４は環状のストッパーであるが、本考案における当接部の形状は特に限定されず、他の形態としてもよい。外ケース１０２は略長方形に構成されており、外ケース１０２の中に収容空間１０８を含む。図１に示すように、外ケース１０２における上面の内側と下面の内側にそれぞれガイドレールが形成されており、上面の内側が二つのガイドレール１０５を含み、下面の内側が一つのガイドレール１０７を含み、これらによって内ケース（詳しくは後述）が一方向に滑るように限定される。但し、本考案では、ガイドレールは特定の数と構成に限定されておらず、例えば、上面の内側が一つのガイドレールを含み、下面の内側が二つのガイドレールを含むように構成され、あるいは、上面の内側と下面の内側が共に二つのガイドレールを含むように構成されてもよい。本考案の他の実施例において、外ケースの中にガイド溝を形成し、内ケースの上にガイドレールを形成してもよい。
【００１１】
本体１１４は、外ケース１０２の収容空間１０８の中に位置し、ＵＳＢコネクタ１１６とメモリ素子１１８を含む。ＵＳＢコネクタ１１６は、オスタイプのコネクタであり、メスタイプの装置と接続してデータの転送を行うために用いられる。メモリ素子１１８は、封止体素子であり、その中には少なくとも一つのメモリチップが封止されており、ＵＳＢコネクタ１１６とメモリ素子１１８は複数のピンによって接続される。
【００１２】
第一弾性素子１２２は外ケース１０２と本体１１４に当接している。具体的には、第一弾性素子１２２はスプリングであってもよく、本体１１４の外周に被せられ、スプリング１２２の一端が外ケース１０２の当接部１０４に当接しており、他端が本体１１４の当接部（図示せず）に当接している。但し、本考案は上記構成に限定されておらず、他の実施例において、第一弾性素子１２２は一端が外ケース１０２の当接部１０４に当接しており、他端が内ケースの当接部（図示せず）に当接しているように構成されてもよい。
【００１３】
内ケース１２４は外ケース１０２と本体１１４との間に設置され、上記のように、内ケース１２４の上面と下面にガイド溝１０９が形成されている。また、内ケース１２４の両側にそれぞれ本体１１４の凹部１２０と嵌合するためのフック状の嵌合部１３４を含み、これにより、本体１１４と内ケース１２４とが互い固定されて移動できないようにしている。内ケース１２４は前端に前端開口１３０を含み、後端に後端開口１３２を含む。内ケース１２４は前端開口１３０近傍に凸部１３１を含み、後端開口１３２近傍に凹部１２８を含む。内ケース１２４内に収容空間１２６を含み、図３に示すように、内ケース１２４の収容空間１２６内の下内壁には、位置決め部材１３６を固定するための固定部１３３が形成されている。また、内ケース１２４は後端開口１３２近傍に二つの嵌合溝１３５を含む。嵌合溝１３５は、カバー１４４を内ケース１２４に固定するために用いられる。位置決め部材とカバーの詳細については後述する。本考案では、嵌合溝の数について特に限定せず、その数は二つより多く或いは二つ未満でも構わない。
【００１４】
図１及び図３に示すように、位置決め部材１３６は、ボタン１３９と第二弾性素子１４２とを含む。ボタン１３９は押しボタンであってもよく、第二弾性素子１４２はスプリングであってもよい。第二弾性素子１４２の下端は内ケース１２４の固定部に固定され、位置決め部材１３６は内ケース１２４の凹部１２８を介して内ケース１２４の外に突出し、あるいは内ケース１２４の中に戻る。ボタン１３９は上部に第一柱状構造１３８を含み、下部に第二柱状構造１４０を含む。第一柱状構造１３８の直径は第二柱状構造１４０の直径よりも小さい。そのため、ボタン１３９が外ケース１０２の貫通孔１１０から突出しているとき、第一柱状構造１３８のみが外ケース１０２の貫通孔１１０の外に突出し、第二柱状構造１４０は貫通孔１１０の周りの外ケースの一部に当接していることから、ボタン１３９全体が外ケース１０２の外に脱落することはない。カバー１４４は二つのフック状の嵌め込み部１４６を含み、前記嵌め込み部１４６が夫々内ケース１２４の対応する嵌合溝１３５に嵌め込まれることにより、カバー１４４と内ケース１２４とが接合される。図３に示すように、カバー１４４は後端に二つの半円形の貫通孔１４７を含み、柱体１４９は貫通孔１４７の間に挟まれるように設置される。これにより、ユーザは紐を二つの貫通孔１４７に通過して柱体１４９に縛り付けることによって、ポータブルストレージデバイスを携帯しやすくするようにすることができる。
【００１５】
以下、図５Ａ〜図５Ｅを用いて、本考案の実施例に係るポータブルストレージデバイスの動作を説明する。図５Ａ〜図５Ｅに図示されていないユニットに関しては、図１及び図３を参照されたい。まず、図５Ａに示すように、通常の未使用の状態では、ポータブルストレージデバイスの本体１１４に含まれたＵＳＢコネクタ１１６とメモリ素子１１８は外ケース１０２内に収容されている。さらに詳しく言うと、この場合、ＵＳＢコネクタ１１６は外ケース１０２の前端開口１０６から突出しておらず、また、ボタン１３９と第二弾性素子１４２を含む位置決め部材１３６も外ケース１０２の上面の貫通孔１１０から突出していない。図５Ｂに示すように、ポータブルストレージデバイスを使ってデータの転送を行う場合、ユーザはカバー１４４を押して、ポータブルストレージデバイスの長軸に平行する方向で内ケース１２４とその中の本体１１４を押し出すことによって、ＵＳＢコネクタ１１６を外ケース１０２の前端開口１０６に突出させることができる。この場合、一端が外ケース１０２の当接部１０４に当接され、他端が本体１１４の当接部１０４に当接された第一弾性素子１２２は押圧されることによって付勢力を発生する。図５Ｃに示すように、ＵＳＢコネクタ１１６が完全に前端開口１０６の外に突出し、あるいは少なくともある特定の位置に到達した場合、位置決め部材１３６は外ケース１０２の貫通孔１１０と重なる。そのため、位置決め部材１３６のボタン１３９は、第２弾性素子１４２による付勢力（付勢力は、ポータブルストレージデバイスの長軸に直交する方向に、外ケース１０２の下面から上面に向けて加えられた力である）によって、その第一柱状構造１３８が外ケース１０２の貫通孔１１０の外に突出し、その第二柱状構造１４０が貫通孔１１０の周りの外ケース１０２の一部に当接する。
【００１６】
この場合、ポータブルストレージデバイスの本体１１４には第一弾性素子１２２によって付勢力が加えられ、この付勢力の方向はポータブルストレージデバイスの長軸に平行する方向であり、かつこの力の方向は外ケース１０２の前端開口１０６から後端開口１１２に向く方向である。しかしながら、ボタン１３９の第一柱状構造１３８が外ケース１０２の貫通孔１１０の外に突出しているため、ポータブルストレージデバイスの本体１１４と内ケース１２４は位置決め部材１３６によって位置決めされ、本体１１４と内ケース１２４との間は相対的な位置ずれが生じない。ポータブルストレージデバイスの使用が完了した後、ユーザはボタン１３９を押すことで、ボタン１３９を外ケース１０２の貫通孔１１０内に戻すことができる（即ち、ボタン１３９は外ケース１３９の収容空間１０８の中に復帰する）。図５Ｄに示すように、この場合、ポータブルストレージデバイスは位置決めされていないため、第一弾性素子１２２から加えられた付勢力（付勢力は、ポータブルストレージデバイスの長軸に平行する方向に、外ケース１０２の前端開口１０６から後端開口１１２に向けて加えられた力）を受け、図５Ｅに示すように、ＵＳＢコネクタ１１６が外ケース１０２の収容空間内に戻るまで本体１１４が外ケース１０２の後端開口１１２に向けて移動する。
【００１７】
＜実施例が奏し得る効果＞
このように、本考案は以下の有益な効果を奏する。即ち、本考案によれば、カバーを押すことによってＵＳＢコネクタを押し出してデータの転送を行うことを可能にしていることと、また、使用後は、ボタンを押すことによって、ＵＳＢコネクタを第一弾性素子によって生じた付勢力によって自動的に外ケース内に戻すことができることであり、これによってユーザは、ポータブルストレージデバイスの操作を便利かつ直感的に行うことができる。
【００１８】
以上は本考案の好ましい実施例に過ぎず、本考案の実用新案登録請求の範囲を限定するものではない。本考案の明細書及び図面の内容を用いることでなされた等価の技術的変更は、いずれも本考案の範囲に含まれる。
【符号の説明】
【００１９】
１０２  外ケース
１０４  当接部
１０５  ガイドレール
１０６  前端開口
１０７  ガイドレール
１０８  収容空間
１０９  ガイド溝
１１０  貫通孔
１１２  後端開口
１１４  本体
１１６  ＵＳＢコネクタ
１１８  メモリ素子
１２０  凹部
１２２  第一弾性素子
１２４  内ケース
１２６  収容空間
１２８  凹部
１３０  前端開口
１３１  凸部
１３２  後端開口
１３３  固定部
１３４  嵌合部
１３５  嵌合溝
１３６  位置決め部材
１３８  第一柱状構造
１３９  ボタン
１４０  第二柱状構造
１４２  第二弾性素子
１４４  カバー
１４６  嵌め込み部
１４７  貫通孔
１４９  柱体
【図１】
0003197802.tif 000003
【図２Ａ】
0003197802.tif 000004
【図２Ｂ】
0003197802.tif 000005
【図２Ｃ】
0003197802.tif 000006
【図３】
0003197802.tif 000007
【図４】
0003197802.tif 000008
【図５Ａ】
0003197802.tif 000009
【図５Ｂ】
0003197802.tif 000010
【図５Ｃ】
0003197802.tif 000011
【図５Ｄ】
0003197802.tif 000012
【図５Ｅ】
0003197802.tif 000013